【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
画像処理装置であって、
外部装置によって生成された画面情報を当該外部装置から受信する第１の受信手段と、
前記画像処理装置が実行する第１の処理と他の画像処理装置が実行する第２の処理とで実現される連携処理の実行をユーザが指示するための第１の画面を、前記第１の受信手段が受信した第１の画面情報に基づいて表示する表示手段と、
前記第１の画面を介してユーザが前記連携処理の実行を指示した場合に、前記第１の処理を実行する処理手段とを備え、
前記処理手段が前記第１の処理を実行した後に、前記表示手段は、前記他の画像処理装置が実行する前記第２の処理のステータスをユーザが確認することと、次の処理の実行をユーザが指示することの両方が可能な第２の画面を、前記第１の受信手段が受信した第２の画面情報に基づいて表示することを特徴とする画像処理装置。
【請求項２】
前記表示手段は、前記第２の画面として、前記第２の処理のステータスを示す情報と、次の処理の実行を指示するための実行ボタンとを同一画面で表示することを特徴とする請求項１に記載の画像処理装置。
【請求項３】
前記第２の画面は第１のタブと第２のタブとを有し、前記第１のタブに前記第２の処理のステータスを示す情報が表示され、前記第２のタブに次の処理の実行を指示するための実行ボタンが表示されることを特徴とする請求項１に記載の画像処理装置。
【請求項４】
前記第１の受信手段が受信する画面情報は、前記外部装置によって生成されたＨＴＭＬデータであることを特徴とする請求項１乃至３のいずれか１項に記載の画像処理装置。
【請求項５】
前記第１の画面を介してユーザが前記連携処理の実行を指示した場合に、前記連携処理の実行が指示されたことを前記外部装置に通知する通知手段と、
前記通知手段による通知に応じて前記外部装置が生成した前記第１の処理の実行指示を、前記外部装置から受信する第２の受信手段とを備え、
前記処理手段は、前記第２の受信手段が受信した前記実行指示に基づいて、前記第１の処理を実行することを特徴とする請求項１乃至４のいずれか１項に記載の画像処理装置。
【請求項６】
原稿を読み取って画像データを生成する読取手段を更に備え、
前記第１の処理は、前記読取手段が原稿を読み取って画像データを生成する処理であり、前記第２の処理は、前記読取手段によって生成された画像データを前記他の画像処理装置が印刷する処理であることを特徴とする請求項１乃至５のいずれか１項に記載の画像処理装置。
【請求項７】
前記表示手段はＷｅｂブラウザであることを特徴とする請求項１乃至６のいずれか１項に記載の画像処理装置。
【請求項８】
画像処理装置の制御方法であって、
外部装置によって生成された画面情報を当該外部装置から受信する受信ステップと、
前記画像処理装置が実行する第１の処理と他の画像処理装置が実行する第２の処理とで実現される連携処理の実行をユーザが指示するための第１の画面を、前記外部装置から受信した第１の画面情報に基づいて表示する第１の表示ステップと、
前記第１の画面を介してユーザが前記連携処理の実行を指示した場合に、前記第１の処理を実行する処理ステップと、
前記処理ステップで前記第１の処理を実行した後に、前記他の画像処理装置が実行する前記第２の処理のステータスをユーザが確認することと、次の処理の実行をユーザが指示することの両方が可能な第２の画面を、前記外部装置から受信した第２の画面情報に基づいて表示する第２の表示ステップとを有することを特徴とする画像処理装置の制御方法。
【請求項９】
請求項８に記載の画像処理装置の制御方法をコンピュータに実行させるためのプログラム。
【請求項１０】
サーバと、第１の画像処理装置と、第２の画像処理装置とを有するＷｅｂシステムであって、
前記サーバは、
画面情報を生成する生成手段を備え、
前記第１の画像処理装置は、
前記生成手段によって生成された画面情報を前記サーバから受信する受信手段と、
前記第１の画像処理装置が実行する第１の処理と前記第２の画像処理装置が実行する第２の処理とで実現される連携処理の実行をユーザが指示するための第１の画面を、前記受信手段が受信した第１の画面情報に基づいて表示する表示手段と、
前記第１の画面を介してユーザが前記連携処理の実行を指示した場合に、前記第１の処理を実行する第１の処理手段とを備え、
前記第１の処理手段が前記第１の処理を実行した後に、前記表示手段は、前記第２の画像処理装置が実行する前記第２の処理のステータスをユーザが確認することと、次の処理の実行をユーザが指示することの両方が可能な第２の画面を、前記受信手段が受信した第２の画面情報に基づいて表示し、
前記第２の画像処理装置は、
前記第２の処理を実行する第２の処理手段を備えることを特徴とするＷｅｂシステム。
【請求項１１】
前記第１の画像処理装置は、
原稿を読み取って画像データを生成する読取手段を更に備え、
前記第２の画像処理装置は、
印刷を実行する印刷手段を更に備え、
前記第１の処理は、前記読取手段が原稿を読み取って画像データを生成する処理であり、前記第２の処理は、前記読取手段によって生成された画像データを前記印刷手段が印刷する処理であることを特徴とする請求項１０に記載のＷｅｂシステム。
【請求項１２】
前記生成手段が生成する画面情報はＨＴＭＬデータであることを特徴とする請求項１０又は１１に記載のＷｅｂシステム。
【手続補正２】
【補正対象書類名】明細書
【補正対象項目名】発明の名称
【補正方法】変更
【補正の内容】
【発明の名称】画像処理装置、画像処理装置の制御方法、プログラム及びＷｅｂシステム
【手続補正３】
【補正対象書類名】明細書
【補正対象項目名】０００９
【補正方法】変更
【補正の内容】
【０００９】
上記目的を達成するために本発明の画像処理装置は、外部装置によって生成された画面情報を当該外部装置から受信する第１の受信手段と、前記画像処理装置が実行する第１の処理と他の画像処理装置が実行する第２の処理とで実現される連携処理の実行をユーザが指示するための第１の画面を、前記第１の受信手段が受信した第１の画面情報に基づいて表示する表示手段と、前記第１の画面を介してユーザが前記連携処理の実行を指示した場合に、前記第１の処理を実行する処理手段とを備え、前記処理手段が前記第１の処理を実行した後に、前記表示手段は、前記他の画像処理装置が実行する前記第２の処理のステータスをユーザが確認することと、次の処理の実行をユーザが指示することの両方が可能な第２の画面を、前記第１の受信手段が受信した第２の画面情報に基づいて表示することを特徴とする。
【手続補正４】
【補正対象書類名】明細書
【補正対象項目名】００１０
【補正方法】変更
【補正の内容】
【００１０】
また上記目的を達成するために本発明のＷｅｂシステムは、サーバと、第１の画像処理装置と、第２の画像処理装置とを有するＷｅｂシステムであって、前記サーバは、画面情報を生成する生成手段を備え、前記第１の画像処理装置は、前記生成手段によって生成された画面情報を前記サーバから受信する受信手段と、前記第１の画像処理装置が実行する第１の処理と前記第２の画像処理装置が実行する第２の処理とで実現される連携処理の実行をユーザが指示するための第１の画面を、前記受信手段が受信した第１の画面情報に基づいて表示する表示手段と、前記第１の画面を介してユーザが前記連携処理の実行を指示した場合に、前記第１の処理を実行する第１の処理手段とを備え、前記第１の処理手段が前記第１の処理を実行した後に、前記表示手段は、前記第２の画像処理装置が実行する前記第２の処理のステータスをユーザが確認することと、次の処理の実行をユーザが指示することの両方が可能な第２の画面を、前記受信手段が受信した第２の画面情報に基づいて表示し、前記第２の画像処理装置は、前記第２の処理を実行する第２の処理手段を備えることを特徴とする。